(57)【要約】【課題】主走査原稿幅をＣＣＤで検出すると共に、圧板を閉じる際の閉検出センサに同期して原稿照明手段を瞬時点灯させ、瞬時に原稿サイズを検出することによって、オペレーターの目に与える不快感（眩しさ）を改善する画像読み取り装置およびその原稿サイズ判定方法の提供。【解決手段】原稿を照射する光源と、原稿の画像を読み取るための読み取り手段と前記読み取り手段によって原稿の主走査方向の幅を検出する第１の検出手段と、原稿の副走査方向の幅を検出するための第２の検出手段と、前記光源を点灯させる点灯制御手段と、前記第２の検出手段により検出された第２の検出結果と、前記点灯制御手段により点灯された前記光源の光量が安定してから最初に検出された前記第１の検出手段による第１の検出結果とに基づいて、原稿サイズを判定する判定手段を有することを特徴とする。【選択図】　　　　図６
2004096157.tif 000002
【特許請求の範囲】
【請求項１】
原稿を照射する光源と、
原稿を載置する原稿台ガラスと、
前記原稿台ガラスに載置された原稿を押さえる原稿押さえ部材と、
原稿の画像を読み取るための読み取り手段と、
前記原稿押さえ部材の開閉状態を検出する開閉検出手段と、
前記読み取り手段によって原稿の主走査方向の幅を検出する第１の検出手段と、
原稿の副走査方向の幅を検出するための第２の検出手段と、
前記開閉検出手段による出力に応じて、前記光源を点灯させる点灯制御手段と、
前記第２の検出手段により検出された第２の検出結果と、前記点灯制御手段により点灯された前記光源の光量が安定してから最初に検出された前記第１の検出手段による第１の検出結果とに基づいて、原稿サイズを判定する判定手段とを有することを特徴とする画像読み取り装置。
【請求項２】
原稿を照射する光源と、
原稿を載置する原稿台ガラスと、
前記原稿台ガラスに載置された原稿を押さえる原稿押さえ部材と、
原稿の画像を読み取るための読み取り手段と、
前記原稿押さえ部材が開いた状態で、読み取りを開始させる読み取り開始指示手段と、
前記読み取り手段によって原稿の主走査方向の幅を検出する第１の検出手段と、
原稿の副走査方向の幅を検出するための第２の検出手段と、
前記読み取り開始指示手段による指示に応じて、前記光源を点灯させる点灯制御手段と、
前記第２の検出手段により検出された第２の検出結果と、前記点灯制御手段により点灯された前記光源の光量が安定してから最初に検出された前記第１の検出手段による第１の検出結果とに基づいて、原稿サイズを判定する判定手段とを有することを特徴とする画像読み取り装置。
【請求項３】
前記判定手段は、前記第２の検出手段により検出された前記第２の検出結果と、前記点灯制御手段により点灯された前記光源の光量が安定するまでの所定時間経過後に最初に検出された前記第１の検出手段による前記第１の検出結果とに基づいて、原稿サイズを判定することを特徴とする請求項１または２記載の画像読み取り装置。
【請求項４】
原稿を照射する光源と、
原稿を載置する原稿台ガラスと、
前記原稿台ガラスに載置された原稿を押さえる原稿押さえ部材と、
原稿の画像を読み取るための読み取り手段と、
前記読み取り手段によって原稿の主走査方向の幅を検出する第１の検出手段と、
原稿の副走査方向の幅を検出するための第２の検出手段とを有する画像読み取り装置の原稿サイズ判定方法において、
前記原稿押さえ部材の開閉状態を検出する開閉検出ステップと、
前記開閉検出ステップによる結果に応じて、前記光源を点灯制御する点灯ステップと、
前記第２の検出手段により検出された第２の検出結果と、前記点灯ステップにより点灯された前記光源の光量が安定してから最初に検出された前記第１の検出手段による第１の検出結果とに基づいて、原稿サイズを判定する判定ステップとを有することを特徴とする画像読み取り装置の原稿サイズ判定方法。
【請求項５】
原稿を照射する光源と、
原稿を載せる原稿台ガラスと、
前記原稿台ガラスに載せられた原稿を押さえる原稿押さえ部材と、
原稿の画像を読み取るための読み取り手段と、
前記読み取り手段によって原稿の主走査方向の幅を検出する第１の検出手段と、
原稿の副走査方向の幅を検出するための第２の検出手段とを有する画像読み取り装置の原稿サイズ判定方法において、
前記原稿押さえ部材が開いた状態で、読み取りを開始させる読み取り開始指示ステップと、
前記読み取り開始指示ステップによる指示に応じて、前記光源を点灯制御する点灯ステップと、
前記第２の検出手段により検出された第２の検出結果と、前記点灯ステップにより点灯された前記光源の光量が安定してから最初に検出された前記第１の検出手段による第１の検出結果とに基づいて、原稿サイズを判定する判定ステップとを有することを特徴とする画像読み取り装置の原稿サイズ判定方法。
【請求項６】
前記判定ステップは、前記第２の検出手段により検出された前記第２の検出結果と、前記点灯ステップにより点灯された前記光源の光量が安定するまでの所定時間経過後に最初に検出された前記第１の検出手段による前記第１の検出結果とに基づいて、原稿サイズを判定することを特徴とする請求項４または５記載の画像読み取り装置の原稿サイズ判定方法。
【発明の詳細な説明】
【０００１】
【発明の属する技術分野】
本発明は、画像読み取り装置およびその原稿サイズ判定方法に関し、特に原稿読取手段で原稿を検出して原稿サイズを判定する画像読み取り装置およびその原稿サイズ判定方法に関する。
【０００２】
【従来の技術】
従来の画像読み取り装置では、以下のような原稿サイズ判定手法が一般的であった。
【０００３】
ＣＣＤを利用して原稿を読み取る読み取り手段によって主走査方向の原稿幅を検出し、また反射型原稿検出センサによって副走査方向の原稿幅を検出して、それらの検出結果に基づいて原稿のサイズを特定する手法である。この際、原稿幅の検出中は原稿照明手段を点灯した状態で維持している。この手法では、圧板が閉じ掛けている状態を検出して所定時間にわたり一定の間隔で原稿幅をモニタして、そのモニタの結果、変化があった個所を原稿がないと判断して原稿サイズを特定する。主走査方向の原稿幅を検出するモニタしている間、原稿照明手段は所定時間にわたり点灯したままである。
【０００４】
【発明が解決しようとする課題】
上述したような原稿サイズ判定方法では、主走査方向の原稿幅を検出する際に検出結果の変化をモニタしているので、モニタを検出している間（所定時間）は原稿照明手段を点灯した状態にあり、オペレーターに対して眩しいと感じられる場合がある。
【０００５】
特に、オペレーターが圧板を閉じなかった場合（適当な角度で圧板を閉じるのを止めた場合、或いはゆっくり圧板を閉じ、閉じる前にコピーボタンが押された場合には、原稿照明手段からの照明光が漏れてくることによって、オペレーターは眩しいと感じることになる。
【０００６】
本発明は、上述の点に着目して成されたもので、主走査原稿幅をＣＣＤで検出すると共に、圧板を閉じる際の検出センサに同期して原稿照明手段を瞬時点灯させ、原稿サイズを判定することによって、オペレーターの目に与える不快感（眩しさ）を改善する画像読み取り装置およびその原稿サイズ判定方法を提供することを目的とする。
【０００７】
【課題を解決するための手段】
本発明は、下記構成を備えることにより上記課題を解決できるものである。
【０００８】
（１）原稿を照射する光源と、原稿を載置する原稿台ガラスと、前記原稿台ガラスに載置された原稿を押さえる原稿押さえ部材と、原稿の画像を読み取るための読み取り手段と、前記原稿押さえ部材の開閉状態を検出する開閉検出手段と、前記読み取り手段によって原稿の主走査方向の幅を検出する第１の検出手段と、原稿の副走査方向の幅を検出するための第２の検出手段と、前記開閉検出手段による出力に応じて前記光源を点灯させる点灯制御手段と、前記第２の検出手段により検出された第２の検出結果と前記点灯制御手段により点灯された前記光源の光量が安定してから最初に検出された前記第１の検出手段による第１の検出結果とに基づいて、原稿サイズを判定する判定手段とを有する画像読み取り装置。
【０００９】
（２）原稿を照射する光源と、原稿を載置する原稿台ガラスと、前記原稿台ガラスに載置された原稿を押さえる原稿押さえ部材と、原稿の画像を読み取るための読み取り手段と、前記原稿押さえ部材が開いた状態で読み取りを開始させる読み取り開始指示手段と、前記読み取り手段によって原稿の主走査方向の幅を検出する第１の検出手段と、原稿の副走査方向の幅を検出するための第２の検出手段と、前記読み取り開始指示手段による指示に応じて前記光源を点灯させる点灯制御手段と、前記第２の検出手段により検出された第２の検出結果と前記点灯制御手段により点灯された前記光源の光量が安定してから最初に検出された前記第１の検出手段による第１の検出結果とに基づいて、原稿サイズを判定する判定手段とを有する画像読み取り装置。
【００１０】
（３）前記判定手段は、前記第２の検出手段により検出された前記第２の検出結果と、前記点灯制御手段により点灯された前記光源の光量が安定するまでの所定時間経過後に最初に検出された前記第１の検出手段による前記第１の検出結果とに基づいて、原稿サイズを判定することを特徴とする前項（１）または（２）記載の画像読み取り装置。
【００１１】
（４）原稿を照射する光源と、原稿を載置する原稿台ガラスと、前記原稿台ガラスに載置された原稿を押さえる原稿押さえ部材と、原稿の画像を読み取るための読み取り手段と、前記読み取り手段によって原稿の主走査方向の幅を検出する第１の検出手段と、原稿の副走査方向の幅を検出するための第２の検出手段とを有する画像読み取り装置の原稿サイズ判定方法において、
前記原稿押さえ部材の開閉状態を検出する開閉検出ステップと、前記開閉検出ステップによる結果に応じて前記光源を点灯制御する点灯ステップと、前記第２の検出手段により検出された第２の検出結果と前記点灯ステップにより点灯された前記光源の光量が安定してから最初に検出された前記第１の検出手段による第１の検出結果とに基づいて、原稿サイズを判定する判定ステップとを有する画像読み取り装置の原稿サイズ判定方法。
【００１２】
（５）原稿を照射する光源と、原稿を載せる原稿台ガラスと、前記原稿台ガラスに載せられた原稿を押さえる原稿押さえ部材と、原稿の画像を読み取るための読み取り手段と、前記読み取り手段によって原稿の主走査方向の幅を検出する第１の検出手段と、原稿の副走査方向の幅を検出するための第２の検出手段とを有する画像読み取り装置の原稿サイズ判定方法において、
前記原稿押さえ部材が開いた状態で、読み取りを開始させる読み取り開始指示ステップと、前記読み取り開始指示ステップによる指示に応じて前記光源を点灯制御する点灯ステップと、前記第２の検出手段により検出された第２の検出結果と前記点灯ステップにより点灯された前記光源の光量が安定してから最初に検出された前記第１の検出手段による第１の検出結果とに基づいて、原稿サイズを判定する判定ステップとを有する画像読み取り装置の原稿サイズ判定方法。
【００１３】
（６）前記判定ステップは、前記第２の検出手段により検出された前記第２の検出結果と、前記点灯ステップにより点灯された前記光源の光量が安定するまでの所定時間経過後に最初に検出された前記第１の検出手段による前記第１の検出結果とに基づいて、原稿サイズを判定する前項（４）または（５）記載の画像読み取り装置の原稿サイズ判定方法。
【００１４】
【発明の実施の形態】
以下、図面を参照して、本発明に係わる画像読み取り装置の実施の形態を詳細に説明する。
【００１５】
図１は、画像読み取り装置の構成を示す外観斜視図である。図１において、１０１は画像読み取り装置の枠体（フレーム）を示している。１０５は、原稿が浮かない様に押し付ける圧板であり、場合によっては不図示の原稿自動給送装置が用いられる場合がある。１０６は、」圧板１０５が閉じられる時に押し込まれる圧板検出レバーであり、この圧板検出レバー１０６が押し込まれて不図示の圧板検出センサで検出されることにより、圧板１０５が所定角度より閉じられた状態にあることを判別する。１０４は、」原稿を走査する第１ミラー台であり、不図示のランプ（キセノン管、ハロゲンランプ等の原稿照明用光源）と不図示の反射ミラーによって構成されている。
【００１６】
１０７は、第１ミラー台１０４上で原稿を照明した際の反射光を不図示のＣＣＤに導く為の開口部であり、１０２、１０３は、各々反射型原稿検出センサの検出窓を示している。１０８は、原稿を置くための原稿台ガラスである。
【００１７】
次に、原稿台ガラス１０８の上に載置された原稿のサイズを判定する構成について説明する。ここでは、原稿を読み取るためのＣＣＤを用いて主走査原稿幅を検出し、反射型原稿検出センサを用いて副走査原稿幅を検出することにより、それらの検出結果に基づいて原稿サイズを判定する場合の構成を、図２、図３を用いて説明する。
【００１８】
図２は、ＡＢ系の原稿を原稿台ガラス１０８の上にセットした場合のレイアウトおよび検出例（主走査方向の原稿幅あるいは副走査方向の原稿幅の検出例）を示す図である。
【００１９】
２０１は、第１ミラー台である。この第１ミラー台２０１は、主走査方向の原稿幅を検出するために原稿の端部よりも内側に移動されている。ここでは、図２に示す様に、原稿の端部から１０〜２０ｍｍ程度だけ内側で主走査方向の原稿幅を検出することができるように設定されている。この位置で、主走査方向の原稿幅を読み取る為には、２０２〜２０６に設けられた主走査方向の原稿幅検出ポイントで原稿の有無（読み取り値）を検出する必要がある。
【００２０】
この読み取り値と反射型原稿検出センサ２０７による検出結果に基づいて原稿サイズを判定することになる。ここで、２０９は、反射型原稿検出センサ２０７を配置可能なセンサ搭載領域を示している。例えば、２０２〜２０４の主走査方向の原稿幅検出ポイントが原稿有無判定レベルを超え、反射型原稿検出センサ２０７の出力も原稿有りの検出レベルであれば、原稿サイズはＡ４＿Ｒとなる。
【００２１】
図３は、インチ系の原稿を原稿台ガラス１０８の上にセットした場合のレイアウトおよび検出例（主走査方向の原稿幅あるいは副走査方向の原稿幅の検出例）を示す図である。
【００２２】
３０１は、主走査方向の原稿幅を検出するための位置に移動された第１ミラー台である。インチ系の用紙サイズでは、図３に示すように主走査方向の原稿幅は３種類である。図２のようなＡＢ系の場合とは異なり、主走査方向の原稿幅を読み取るためには、３０２〜３０４に設けられた主走査方向の原稿幅検出ポイントで原稿の有無（読み取り値）を検出すればよい。
【００２３】
この読み取り値と反射型原稿検出センサ３０５、３０６の検出結果に基づいて原稿サイズを判定する。３０７は、反射型原稿検出センサ３０５の搭載範囲を示しており、３０８は、反射型原稿検出センサ３０６の搭載範囲を示している。例えば、３０２，３０３の主走査方向の原稿幅検出ポイントが原稿有無判定レベルを超えた場合、原稿サイズの候補が３種類になる。つまり、副走査方向の原稿幅がここでは３通りになる。
【００２４】
図４は、原稿を読み取るためのＣＣＤを用いて主走査方向の原稿幅を検出する検出状況を示した斜視図である。１０１は、画像読み取り装置のフレームであり、４０１は、セットされた原稿である。１０２、１０３は、副走査方向用の反射型原稿検出センサの検出窓である。４０２は、原稿４０１の主走査方向において原稿がない領域において漏れてくるランプ光である。この漏れてくるランプ光は、オペレーターの目に直接入ることになり、不快感（眩しさ）を与えることになる。
【００２５】
本発明の実施の形態では、原稿を照射するランプを瞬時に１回だけ点灯させ（オペレーターが眩しいと感じない程度の短い時間、約３０ｍｓｅｃ）、主走査方向の原稿幅を検出して原稿サイズを判定する。ランプを瞬時に点灯させた後は、原稿の読み取り動作までランプを点灯させないようにする。
【００２６】
図５は、原稿を読み取るためのＣＣＤ５０５を用いて、主走査方向の原稿幅を検出するためのイメージ図である。１０８は原稿台ガラスである。原稿台ガラス１０８の下に、原稿を照明するランプと反射ミラーとで構成された第１ミラー台１０４が配置されている。５０３は、主走査方向の原稿幅検出ポイントを示している。主走査方向の原稿幅検出ポイント５０３は、実際には第１ミラー台１０４の位置にあるが、図５では分かり易くするために位置をずらして明記している。なお、ランプからの照射光は、原稿によって反射され、その反射光は光学レンズ５０４を介してＣＣＤ５０５に結像される。
【００２７】
５０６は、ＣＣＤ５０５の画素列を拡大して示したものである。５０７は、基準となる原稿端部の検出ポイントに相当する画素を示しており、この画素を基準にして実際の原稿幅を検出することになる。さらに、この検出ポイントに相当する画素５０７の位置と主走査方向の読み取り解像度に基づいて、定型サイズの原稿における主走査方向の原稿幅を検出することになる。
【００２８】
図５に示すように、定型サイズの原稿の主走査方向の原稿幅に相当する画素の近傍にあるｎ画素５０８が、主走査方向の原稿幅の検出に利用される。実際には、ｎ画素５０８で読み取られた読み取り値の平均値が、検出ポイント５０３の読み取り値として用いられる。
【００２９】
例えば、Ｂ５サイズ（主走査方向の原稿幅：２５７ｍｍ）の原稿がセットされており、その内側の３ｍｍ程の位置において主走査方向の原稿幅を検出する場合、主走査方向の原稿幅の検出ポイント５０３における画素は以下のように求められる。ここでは、読み取り解像度は６００ｄｐｉを想定して説明する。
（検出ポイントに相当する原稿幅［ｍ］）／（１画素の幅［ｍ］）
＝（２５４×１０−３）÷｛（２５．４×１０−３）÷６００ｄｐｉ｝
＝（２５４×１０−３）÷（４２．３×１０−６）＝６００４
つまり、主走査方向の原稿幅の検出ポイントに相当する画素は、基準となる原稿の端部に相当する画素５０７から数えて６００４画素目になる。この画素を含めた近傍における複数の画素から読み取り値を平均して、主走査方向の原稿幅を検出することができる。例えば、検出する際に用いる画素は、６４画素（約２．７ｍｍ）程度の幅にするとよい。ここでは、これらの画素（検出ポイント）が光源の瞬時点灯時によって原稿の有無を検出できれば良い事になる。
【００３０】
図６は、画像読み取り装置の原稿サイズの判定に係る要部構成を示すブロック図である。図６に示すように、画像読み取り装置の制御を司るＣＰＵ６０９は、ＲＯＭ／ＲＡＭ６１１より読み取った制御プログラムに基づいてクロックジェネレータ６１０を設定し、ドライバ６０２やアナプロ６０３、Ａ／Ｄコンバータ６０４、シェーディング補正部６０５にクロックを供給する。
【００３１】
さらに、ＣＰＵ６０９のポートに直結した圧板検出センサ６１３の出力に従い、クロックジェネレータ６１０からのクロックが出力され、ＣＣＤ５０５が駆動される。又、圧板検出センサ６１３で圧板が閉じかけている状態を検出することによって、ＣＰＵ６０９はインバータ６１６に点灯制御信号を送り、ランプ６１７を点灯させる。同時に、副走査方向の反射型原稿検出センサ２０７、３０５，３０６もＣＰＵ６０９によって制御され、副走査方向の原稿幅が検出される。
【００３２】
主走査方向の原稿幅を検出するために、ラインメモリ６０６に供給された値を所定画素のｎ画素平均回路６０８によって算出される。算出された平均値と反射型原稿検出センサの検出結果に基づいて、ＲＯＭ／ＲＡＭ６１１の内容（主走査方向の原稿幅・副走査方向の原稿幅・原稿サイズの対応テーブル）を参照し、原稿サイズ（定型サイズ）を判定する。
【００３３】
ＡＢ系の原稿サイズ検出に於ける、検出結果の例を図７に示す。この中で、☆０は原稿突き当て位置（原稿基準位置）の検出ポイントであり、原稿が原稿台ガラス１０８上に置かれているかどうかを判別するための検出ポイントである。☆２、☆３、☆４、☆６、☆８は、主走査方向の原稿幅を検出するための検出ポイントである。
【００３４】
次に、原稿サイズ検出の状況および原稿サイズ検出結果の判定例を示す図を図８に示す。図８に於いて、１０５は圧板であり、８０４は圧板１０５の裏部材である。４０１は原稿であり、原稿台ガラス１０８上に載置される。圧板検出センサ６１３は、圧板１０５が閉じかけている状態を検出する。具体的には、すでに図１を用いて説明したように行っている。
【００３５】
圧板検出センサ６１３の検出結果（圧板が閉じかけている状態）に基づいて、主走査方向の原稿幅検出と副走査方向の原稿幅検出の動作が実行される。従来では、主走査方向の原稿幅検出ポイントの読み取り値と反射型原稿検出センサ８０５の検出は、ランプが点灯され検出動作を開始してから約０．２ｓｅｃ間隔で所定時間において複数回の検出を繰り返して、原稿サイズを一定時間の間に亙り監視を行っていた。
【００３６】
図８は、圧板が閉じかけているときの検出結果と圧板が閉じているときの検出結果をそれぞれ示している。圧板が閉じ掛けている時と圧板が閉じている時の検出結果の変化が起こった検出ポイントでは原稿が載置されていないことになるので、その変化によって原稿サイズを判定していた。図８では、原稿サイズは、Ｂ５サイズとして判定されることになる。
【００３７】
これに対して、本発明の実施の形態では、ランプを瞬時に点灯させることによって主走査方向の原稿幅を検出している。ランプを瞬時に点灯させ、主走査方向の原稿幅を検出するためには、ランプ（照明装置）の特性と、各種濃度原稿の読み取り値と原稿有無判定レベルの関係との二つの要素が非常に重要である。
【００３８】
先ず、ランプの特性について説明する。図９は、ランプ（キセノン管）の特性を示している。横軸は時間であり、縦軸は光量である。９０１はキセノン管の立ち上がり特性曲線であり、若干のばらつきを含むが３０ｍｓｅｃ前後（９０２）で安定光量に達する。厳密には、さらに時間を掛けて緩やかに照度が下がり所定の光量に安定する。
【００３９】
９０３は、ＣＣＤ、及びＣＣＤ周辺回路の立ち上げ特性である。こちらも使用するＣＣＤや周辺回路によって時間的なばらつきは生じるが、ここでは、１０ｍｓｅｃ程度の時間で起動が掛かっているとする。
【００４０】
９０５は、圧板検出センサ６１３が閉じかけている状態を検出したタイミングである。このタイミングから１０ｍｓｅｃ前後経過して、その後の１０ｍｓｅｃ〜３０ｍｓｅｃの間に画像読み取り装置外からの外光サーチを行う。外光サーチについては後述する。
【００４１】
９０５のタイミングから３０ｍｓｅｃ経過後（ランプの光量が安定した状態になってから）、即座に主走査方向の原稿幅と副走査方向の原稿幅を一回だけ検出して、検出された原稿幅を基にして原稿サイズを判定する。そうすることにより、ランプ（原稿照明装置）の点灯時間は僅か３０ｍｓｅｃ＋α　程度で済むことになる。即ち、この瞬時点灯の間に原稿サイズを判定することができる。
【００４２】
外光サーチとは、主走査方向の原稿幅を検出する時に部屋の蛍光灯や太陽光（外光）の影響を受け、ＣＣＤに外光が入射されてしまうことによって、主走査方向の原稿幅検出において誤検出することを防止する予防対策である。通常、原稿が置かれている場所には外光は入らないので、もし外光を検出した領域がある場合は、その領域は原稿がない領域であると判断してその後の誤検出を防止する手法である。
【００４３】
次に、各種濃度原稿の読み取り値と原稿有無判定レベルの関係について説明する。図１０は、代表的な原稿の種類・輝度濃度レベルと読み取り値（濃度値）の関係を示している図である。ここでは、１０ｂｉｔのデータである読み取り値を１６進数表記（Ｈｅｘ）によって表示している。
【００４４】
この読み取り値を参考にして原稿有無判定基準レベルを決定することにより、実用上支障がでないようにすることができる。ここでは、原稿有無判定レベルを６０（Ｈｅｘ）程度にすれば、輝度濃度Ｄ１．０の原稿と、第二原図用紙と白い原稿は確実に検出可能であることが分る。
【００４５】
図１０は、図８に示す主走査方向の原稿幅検出ポイントにおける読み取り値をグラフにしたものである。このグラフでは、圧板が閉じている時の原稿濃度を１００２、圧板の白レベルを１００３、原稿有無判定レベルを１００１で示しており、それぞれの場合における読み取り値を示している。
【００４６】
このグラフの場合、主走査方向の原稿幅は☆１〜☆３迄検出できることになる。さらに、ランプを瞬時に点灯した場合でも、通常使用される範囲の濃度原稿に対しては十分に使いこなせるレベルを設定可能であると考えられる。
【００４７】
図１１は、本発明の実施の形態に係る原稿サイズを判定する原稿サイズ判定ステップを示すフローチャートである。
【００４８】
Ｓ１１０１で原稿を原稿台ガラス上にセットする。このセットされた原稿に対して圧板が閉じられかけているかどうかを検出する（Ｓ１１０２）。Ｓ１１０２で、圧板センサで圧板が閉じ掛けているかどうかを検出して、圧板が閉じかけていると判断した場合には、ＣＰＵ６０９はランプ６１７を点灯させる。
【００４９】
一方、Ｓ１１０２で、圧板が開放状態であると判断した場合には、Ｓ１１０３へ進む。Ｓ１１０３で、不図示のコピー（スタート）ボタンが押下されているかを判断する。Ｓ１１０３で、コピーボタンが押下されていなければＳ１１０２へ戻る。Ｓ１１０３で、コピーボタンが押下されていれば、原稿サイズを検定する判定動作を開始するために、Ｓ１１０４へ進む。Ｓ１１０４で、ＣＰＵ６０９はランプ６１７を点灯させる。
【００５０】
ランプ６１７が点灯したあと、ランプ６１７が点灯してから３０ｍｓｅｃ以内は外光サーチを行う（Ｓ１１０５）。主走査方向の原稿幅検出ポイントに相当する画素に対して太陽光や蛍光灯による影響がある場合は、Ｓ１１０６へ進む。Ｓ１１０６で、ＣＰＵ６０９は外光の影響を受けている画素を使用しないように設定する。
【００５１】
ランプ６１７が点灯してから３０ｍｓｅｃを超えていれば（ランプ６１７の光量が安定していれば）、Ｓ１１０７へ進む。そして、Ｓ１１０７で原稿サイズ判定の動作を行う。Ｓ１１０７の原稿サイズ判定では、主走査方向の原稿幅検出ポイントによる検出結果および副走査方向の原稿幅を検出する反射型検出センサの検出結果に基づいて、ＣＰＵ６０９によって原稿サイズが判定される。Ｓ１１０７で原稿サイズ判定が終わった後に、ステップＳ１１０８で、原稿が適正な原稿サイズとして読み取られて、読み取られた画像はシートに画像形成される。
【００５２】
以上の様に構成することで、照明ランプの眩しさに対する問題が解決され、実用上可能な原稿サイズ判定を提供できる。
【００５３】
しかし、本出願の原稿サイズ判定方法は閾値に対するＣＣＤ読み取り値のレベルで結果が決まるため、閾値を下回る濃度原稿は検出できない。そこで、従来のランプつきっ放しの原稿サイズ検出と本出願の原稿サイズ検出を切り替え可能な機能を持たせることによって、原稿検出精度と眩しい問題に対する改善策をセレクトできる構成とすることで、より汎用性を高めた画像読み取り装置が実現可能である。
【００５４】
【発明の効果】
以上説明したように、本発明によれば、原稿を照射する光源と、原稿の画像を読み取るための読み取り手段と前記読み取り手段によって原稿の主走査方向の幅を検出する第１の検出手段と、原稿の副走査方向の幅を検出するための第２の検出手段と、前記光源を点灯させる点灯制御手段と、前記第２の検出手段により検出された第２の検出結果と、前記点灯制御手段により点灯された前記光源の光量が安定してから最初に検出された前記第１の検出手段による第１の検出結果とに基づいて、原稿サイズを判定する判定手段とを有しているので、光源を瞬時に点灯（約３０ｍｓｅｃ程度）させ、原稿サイズを特定することにより、オペレーターの目に与える不快感（眩しさ）を改善することができる。
【図面の簡単な説明】
【図１】画像読み取り装置の構成を示す外観斜視図
【図２】ＡＢ系の原稿を原稿台ガラスの上にセットした場合のレイアウト及び検出例を示す図
【図３】インチ系の原稿を原稿台ガラスの上にセットした場合のレイアウト及び検出例を示す図
【図４】ＣＣＤを用いた原稿サイズ検出状況を示す斜視図
【図５】主走査検出位置とＣＣＤの読み取り位置の関係を示す図
【図６】画像読み取り装置の要部構成例を示すブロック図
【図７】ＡＢ系原稿サイズの検出結果の例を示す図
【図８】原稿サイズ検出状況及び検出結果の判定例を示す図
【図９】キセノン管、ＣＣＤおよびＣＣＤ周辺回路の立ち上げ特性を示す図
【図１０】原稿の種類・輝度濃度レベルと読み取り値の関係を示す図
【図１１】原稿サイズ判定ステップの例を示すフローチャート
【符号の説明】
１０１　画像読み取り装置の枠体（フレーム）
１０２、１０３　反射型原稿検出センサの検出窓
１０４、２０１、３０１　第１ミラー台
１０５、７０２　圧板
１０６　圧板検出レバー
１０７　反射光をＣＣＤに導くための開口部
１０８　原稿台ガラス
２０２〜２０６　ＡＢ系の原稿における主走査方向の原稿幅検出ポイント
３０２〜３０４　インチ系の原稿における主走査方向の原稿幅検出ポイント
２０７、３０５、３０６　反射型原稿検出センサ
４０１　原稿
４０２　原稿がない領域から漏れてくるランプ光
５０３　主走査方向の原稿幅検出ポイント
５０４　光学レンズ
５０５　ＣＣＤ
６０３　アナプロ
６０５　シェーディング補正部
６０６　ラインメモリ
６０９　ＣＰＵ
６１０　クロックジェネレータ
６１１　ＲＯＭ／ＲＡＭ
６１３　圧板検出センサ
６１７　ランプ
【図１】
2004096157.tif 000003
【図２】
2004096157.tif 000004
【図３】
2004096157.tif 000005
【図４】
2004096157.tif 000006
【図５】
2004096157.tif 000007
【図６】
2004096157.tif 000008
【図７】
2004096157.tif 000009
【図８】
2004096157.tif 000010
【図９】
2004096157.tif 000011
【図１０】
2004096157.tif 000012
【図１１】
2004096157.tif 000013